(57)【要約】【課題】同一の配線ブロックを連設集合体の両端のいずれ側の端部にも配置し得るようにする。【解決手段】弁組立体１１が搭載される複数のバルブベース１２と配管ブロック２１とを集合させることにより連設集合体２２が形成され、それぞれのバルブベース１２と配管ブロック２１には供給孔、排出孔および配線孔が形成され、連設集合体２２の内部には配線孔により連なった配線通路が形成される。連設集合体の両端部にはエンドブロック３１，４１が装着され、２つのエンドブロック３１，４１の何れか一方の外側には、配線ブロック５１が装着され、他方の外側にはエンドカバー５２が装着されてエンドブロックに形成された配線孔は覆われる。【選択図】図２
2010174964.tif 000002
【特許請求の範囲】
【請求項１】
複数の弁組立体が集合して支持部材に装着される電磁弁マニホールドであって、
前記弁組立体が搭載され、前記弁組立体に連通する供給孔および排出孔とソレノイドに接続される配線が貫通する配線孔とがそれぞれ厚み方向に貫通して形成されたバルブベースと、
前記供給孔に連通する供給ポート、および前記排出孔に連通する排出ポートが設けられるとともに前記配線孔に連通する配線孔が厚み方向に貫通して形成され、集合される複数の前記バルブベースに装着されて連設集合体を形成する配管ブロックと、
前記連設集合体の一端部に装着され、前記配線孔に連通する第１の配線案内孔が形成された第１のエンドブロックと、
前記連設集合体の他端部に装着され、前記配線孔に連通する第２の配線孔が形成された第２のエンドブロックと、
外部信号線が接続されるとともにそれぞれの前記配線が接続された端子プラグが着脱自在に連結されるコネクタが設けられ、前記第１と第２のエンドブロックの何れか一方に着脱自在に装着される配線ブロックと、
前記配線ブロックが前記第１のエンドブロックに装着されるときには前記第２のエンドブロックに装着されて当該第２のエンドブロックの外面を覆い、前記配線ブロックが前記第２のエンドブロックに装着されるときには前記第１のエンドブロックに装着されて当該第１のエンドブロックの外面を覆うエンドカバーとを有することを特徴とする電磁弁マニホールド。
【請求項２】
請求項１記載の電磁弁マニホールドにおいて、それぞれの前記バルブベースと前記配管ブロックとにそれぞれの前記配線孔を外部に露出させる開閉部材を開閉自在に設けることを特徴とする電磁弁マニホールド。
【請求項３】
請求項１または２記載の電磁弁マニホールドにおいて、前記エンドブロックに前記エンドカバーが装着されるときには当該エンドカバーに設けられた突起が挿入され、前記エンドブロックに前記配線ブロックが装着されるときには当該配線ブロックを貫通するねじ部材が取り付けられる挿入孔を前記エンドブロックに形成することを特徴とする電磁弁マニホールド。
【請求項４】
請求項１〜３のいずれか１項に記載の電磁弁マニホールドにおいて、前記配線ブロックは前記コネクタがそれぞれの前記ソレノイドに対応した数のコネクタピンを有するパラレル型であることを特徴とする電磁弁マニホールド。
【請求項５】
請求項１〜３のいずれか１項に記載の電磁弁マニホールドにおいて、前記配線ブロックは外部からそれぞれの前記ソレノイドに対応した信号を多重伝送により送る共通の信号線が接続されるコネクタと、多重伝送信号をそれぞれの前記ソレノイドに対応させたパラレル信号に変換する信号変換部とを有するシリアル型であることを特徴とする電磁弁マニホールド。
【発明の詳細な説明】
【技術分野】
【０００１】
本発明は複数の弁組立体が集合して支持部材に装着される電磁弁マニホールドに関する。
【背景技術】
【０００２】
それぞれパイロット電磁弁を有する複数の弁組立体を支持部材に集合して装着するようにしたタイプの電磁弁は電磁弁マニホールドまたはマニホールド電磁弁と言われる。弁組立体は流路を切り換える主弁軸が設けられた主弁ブロックと、主弁ブロックに取り付けられるパイロット電磁弁とを有しており、パイロット電磁弁はソレノイドにより駆動されて主弁軸に流体を供給し、主弁軸により流路が切り換えられる。パイロット電磁弁を有する間接作動形の電磁弁を集合してマニホールドベースに装着するようにした電磁弁マニホールドには、特許文献１に記載されるように、供給ポートと排出ポーとが形成された１つのマニホールドベースに弁組立体を装着するようにしたタイプがあり、マニホールドベースはＤＩＮレールと言われる支持レールに取り付けられるようになっている。
【０００３】
電磁弁マニホールドにはそれぞれの弁組立体をバルブベースに取り付けるようにしたタイプがある。このタイプの電磁弁マニホールドは、それぞれ弁組立体が装着された複数のバルブベースが支持レールに集合して装着されるようになっており、複数のバルブベースを集合させることによって構成される連設集合体の内部には供給流路と排出流路とが形成される。このタイプの電磁弁マニホールドは、スタッキング型または分割型と言われる。それぞれのソレノイドに対して電力を集中して供給するために、連設集合体に給電ブロックつまり配線ブロックを装着すると、省配線タイプの電磁弁マニホールドとなる。この給電ブロックも支持レールに取り付けられるようになっている。
【０００４】
配線ブロックを有する省配線タイプの電磁弁マニホールドは、配線ブロックが支持レールの一端部側つまり連設集合体の一端部側に取り付けられて使用される場合と、他端部側に取り付けられて使用される場合とがある。特許文献２には給電ブロックつまり配線ブロックを連設集合体の両端部つまり左右両端のいずれにも装着し得るようにした電磁弁マニホールドが記載されている。
【先行技術文献】
【特許文献】
【０００５】
【特許文献１】特開平１１−１１８０５３号公報
【特許文献２】特開２００７−２０５４４０号公報
【発明の概要】
【発明が解決しようとする課題】
【０００６】
特許文献２に記載される省配線タイプの電磁弁マニホールドにおいては、弁組立体が搭載されるバルブブロックに第１と第２の配線回路を形成し、左側の配線ブロックが連設集合体の左端部に接続されるときには、第１と第２の配線回路を接続する接続回路が設けられたブロックを右端部に接続するようにしている。一方、右側の配線ブロックが連設集合体の右端部に接続されるときには、接続回路が設けられたブロックを左端部に接続するようにしている。
【０００７】
このように、従来の省配線タイプの電磁弁マニホールドにおいては、バルブブロック内に配線回路を形成し、その端子をバルブブロックの両面に露出させて形成する必要があり、バルブブロックの構造が複雑となる。しかも、左側用の配線ブロックと右側用の配線ブロックとを予め用意しておき、マニホールド電磁弁の設置場所が変更されるときには、配線ブロックを交換しなければならない。
【０００８】
本発明の目的は、同一の配線ブロックを連設集合体の両端のいずれ側の端部にも配置し得るようにすることにある。
【課題を解決するための手段】
【０００９】
本発明の電磁弁マニホールドは、複数の弁組立体が集合して支持部材に装着される電磁弁マニホールドであって、前記弁組立体が搭載され、前記弁組立体に連通する供給孔および排出孔とソレノイドに接続される配線が貫通する配線孔とがそれぞれ厚み方向に貫通して形成されたバルブベースと、前記供給孔に連通する供給ポート、および前記排出孔に連通する排出ポートが設けられるとともに前記配線孔に連通する配線孔が厚み方向に貫通して形成され、集合される複数の前記バルブベースに装着されて連設集合体を形成する配管ブロックと、前記連設集合体の一端部に装着され、前記配線孔に連通する第１の配線案内孔が形成された第１のエンドブロックと、前記連設集合体の他端部に装着され、前記配線孔に連通する第２の配線孔が形成された第２のエンドブロックと、外部信号線が接続されるとともにそれぞれの前記配線が接続された端子プラグが着脱自在に連結されるコネクタが設けられ、前記第１と第２のエンドブロックの何れか一方に着脱自在に装着される配線ブロックと、前記配線ブロックが前記第１のエンドブロックに装着されるときには前記第２のエンドブロックに装着されて当該第２のエンドブロックの外面を覆い、前記配線ブロックが前記第２のエンドブロックに装着されるときには前記第１のエンドブロックに装着されて当該第１のエンドブロックの外面を覆うエンドカバーとを有することを特徴とする。
【００１０】
本発明の電磁弁マニホールドは、それぞれの前記バルブベースと前記配管ブロックとにそれぞれの前記配線孔を外部に露出させる開閉部材を開閉自在に設けることを特徴とする。本発明の電磁弁マニホールドは、前記エンドブロックに前記エンドカバーが装着されるときには当該エンドカバーに設けられた突起が挿入され、前記エンドブロックに前記配線ブロックが装着されるときには当該配線ブロックを貫通するねじ部材が取り付けられる挿入孔を前記エンドブロックに形成することを特徴とする。本発明の電磁弁マニホールドにおいては、前記配線ブロックは前記コネクタがそれぞれの前記ソレノイドに対応した数のコネクタピンを有するパラレル型であることを特徴とする。また、本発明の電磁弁マニホールドにおいては、前記配線ブロックは外部からそれぞれの前記ソレノイドに対応した信号を多重伝送により送る共通の信号線が接続されるコネクタと、多重伝送信号をそれぞれの前記ソレノイドに対応させたパラレル信号に変換する信号変換部とを有するシリアル型であることを特徴とする。
【発明の効果】
【００１１】
本発明によれば、それぞれ弁組立体が搭載される複数のバルブベースと、供給ポートおよび排出ポートが設けられた配管ブロックとを集合することにより形成される連設集合体の両端部にエンドブロックが装着され、それぞれのエンドブロックにはエンドカバーと配線ブロックとの何れか一方が選択的に装着される。したがって、部品交換を行うことなく、配線ブロックを連設集合体の一端部側に配置する形態と、他端部側に配置する形態とに容易に変更することができる。
【００１２】
連設集合体には配線通路が形成されるので、バルブベースに配線回路を設けることなく、配線の引き回しを配線通路内で変更することができる。バルブベースと配管ブロックとにそれぞれの配線孔を外部に露出させる蓋部材を開閉自在に設けることにより、配線通路内での配線の引き回し変更をそれぞれの蓋部材を開放させることにより容易に行うことができる。
【００１３】
配線ブロックとしては、外部のコントローラから複数のソレノイドに対してパラレル信号で送られるパラレル型と、外部のコントローラから多重伝送信号によって複数のソレノイドに対して共通の信号線により送られるシリアル型との何れとすることができる。
【図面の簡単な説明】
【００１４】
【図１】本発明の一実施の形態である電磁弁マニホールドを示す平面図であり、（Ａ）は配線ブロックが左側に装着された状態を示し、（Ｂ）は配線ブロックが右側に装着された状態を示す。
【図２】配線ブロックが取り外された状態における図１（Ａ）の電磁弁マニホールドを示す斜視図である。
【図３】配線ブロックが取り外された状態における図１（Ｂ）の電磁弁マニホールドを示す斜視図である。
【図４】図１（Ａ）の左側面図である。
【図５】配線ブロックとエンドカバーとを外した状態における図１（Ａ）の電磁弁マニホールドを示す平面図である。
【図６】（Ａ）は配線ブロックの正面図であり、（Ｂ）はエンドカバーの正面図である。
【図７】バルブベースの左側面図である。
【図８】配管ブロックの左側面図である。
【図９】第１のエンドブロックの左側面図である。
【図１０】第２のエンドブロックの右側面図である。
【図１１】本発明の他の実施の形態である電磁弁マニホールドを示す平面図であり、（Ａ）は配線ブロックが左側に装着された状態を示し、（Ｂ）は配線ブロックが右側に装着された状態を示す。
【図１２】図１１（Ａ）の左側面図である。
【発明を実施するための形態】
【００１５】
以下、本発明の実施の形態を図面に基づいて詳細に説明する。図１に示される電磁弁マニホールド１０は８つの弁組立体１１を有している。それぞれの弁組立体１１は、図７に示されるように、バルブベース１２に搭載されるようになっている。それぞれ弁組立体１１が搭載された８つのバルブベース１２は側面相互で突き合わせて組み合わされている。図示する電磁弁マニホールド１０は、それぞれ弁組立体１１が搭載された８つのバルブベース１２を有しているが、電磁弁マニホールド１０は任意の数のバルブベース１２により構成することができる。
【００１６】
図７にはバルブベース１２の左側面が示されており、バルブベース１２には供給孔１３と２つ排出孔１４，１５が厚み方向に貫通して形成されている。図１においては１つのバルブベース１２の左側面が符号Ａで示され、右側面が符号Ｂで示されている。
【００１７】
バルブベース１２には供給孔１３が形成された円筒部１３ａが左側面Ａから突出し、それぞれ排出孔１４，１５が形成された円筒部１４ａ，１５ａが左側面Ａから突出している。バルブベース１２の右側面Ｂにはこれに突き合わせられる他のバルブベース１２のそれぞれの円筒部１３ａ〜１５ａが嵌合つまり嵌め合わされる嵌合孔が形成されている。これにより、全てのバルブベース１２を側面で相互に突き合わせた状態で集合させると、それぞれの供給孔１３により連なった供給流路が形成され、それぞれの排出孔１４，１５により連なった排出流路が形成されることになる。
【００１８】
バルブベース１２の後端部側には配線孔１６が厚み方向に貫通して形成されており、全てのバルブベース１２を側面で相互に突き合わせると、それぞれの配線孔１６により連なった配線通路が形成されることになる。それぞれのバルブベース１２の後端部には、図７に示されるように、蓋部材１７がヒンジ１７ａを中心に開閉自在に装着されており、蓋部材１７を開放させると配線孔１６が外部に露出される。
【００１９】
バルブベース１２の正面側にはそれぞれ継手により形成される２つの出力ポート１８，１９が設けられており、それぞれの出力ポート１８，１９には空気圧作動機器に接続された配管が装着されるようになっている。弁組立体１１は主弁ブロック２０ａを有し、主弁ブロック２０ａ内に形成された図示しない弁軸収容孔には供給孔１３と排出孔１４，１５とが連通するとともに、出力ポート１８，１９に連通する図示しない出力孔が弁軸収容孔に連通している。弁軸収容孔には図示しない主弁軸が組み込まれており、主弁軸により供給孔と一方の出力孔とが連通する状態に流路が切り換えられる。主弁ブロック２０ａにはパイロット電磁弁を構成するソレノイド２０ｂ設けられており、ソレノイド２０ｂに設けられた図示しないコイルに供給される駆動信号によって主弁軸に供給孔からの圧縮空気が供給されて主弁軸は軸方向に駆動される。弁組立体１１はパイロット電磁弁を有する間接作動形となっており、弁組立体１１の基本構造は、例えば、特許第2826460号公報に記載された電磁弁とほぼ同様である。
【００２０】
図２において右端部側のバルブベース１２には、配管ブロック２１が装着されるようになっている。８つのバルブベース１２と右端部のバルブベース１２に突き当てて装着される配管ブロック２１とにより、これらが集合された連設集合体２２が構成される。
【００２１】
図８に示すように、配管ブロック２１には、供給流路に連通する供給孔２３と、排出流路に連通する排出孔２４，２５が厚み方向に貫通して形成されている。配管ブロック２１にはそれぞれ継手により形成される供給ポート２６と排出ポート２７とが設けられ、供給ポート２６には空気圧供給源に接続された配管が接続されようになっており、供給ポート２６はそれぞれのバルブベース１２の供給孔１３に連通状態となる。排出ポート２７には排気管が接続されるようになっており、排出ポート２７はそれぞれのバルブベース１２の排出孔１４，１５に連通状態となる。
【００２２】
バルブベース１２の配線孔１６に対応させて配管ブロック２１の後端部には配線孔２８が厚み方向に貫通して形成され、配線孔２８は全てのバルブベース１２の配線孔１６により形成される配線通路に連通する。配管ブロック２１の後端部には、図８に示されるように、蓋部材２９がヒンジ２９ａを中心に開閉自在に装着されており、蓋部材２９を開放させると配線孔２８が外部に露出される。
【００２３】
図８には配管ブロック２１の左側面が示されており、配管ブロック２１には供給孔２３が形成された円筒部２３ａが左側面Ａから突出し、それぞれ排出孔２４，２５が形成された円筒部２４ａ，２５ａが左側面Ａから突出している。それぞれの円筒部２３ａ〜２５ａは、右端部側のバルブベース１２に配管ブロック２１が突き合わされると、そのバルブベース１２に形成された嵌合孔に嵌合するようになっている。したがって、供給ポート２６に外部から供給された圧縮空気は、それぞれのバルブベース１２に形成された供給孔１３を介してそれぞれの弁組立体１１に供給され、弁組立体１１から排出される空気は排出孔１４，１５を介して共通の排出ポート２７から外部に排出されることになる。
【００２４】
それぞれのバルブベース１２の底面にはレール溝３０ａが形成されており、バルブベース１２のレール溝３０ａに対応させて配管ブロック２１の底面にもレール溝３０ａが形成されている。複数のバルブベース１２と１つの配管ブロック２１とを組み合わせて形成される連設集合体２２には、全てのレール溝３０ａにより連なった状態のレール溝が形成され、連設集合体２２はレール溝３０ａに入り込む支持部材としての支持レール３０に配置される。この支持レール３０はＤＩＮレールと言われる。
【００２５】
連設集合体２２の一端部の配管ブロック２１には、図１に示すように、第１のエンドブロック３１が装着されるようになっている。図９に示すように、エンドブロック３１には、配管ブロック２１の供給孔２３を構成する嵌合孔に嵌合される円筒部３２が左側面Ａから突出して設けられており、配管ブロック２１の排出孔２４，２５をそれぞれ構成する嵌合孔に嵌合される２つの円筒部３３，３４が左側面Ａから突出して設けられている。さらに、エンドブロック３１には配管ブロック２１の配線孔２８に連通する配線孔３５が厚み方向に貫通して形成されている。それぞれの円筒部３２〜３４にはそれぞれを閉塞する閉塞壁３２ａ〜３４ａが設けられており、エンドブロック３１を配管ブロック２１に装着すると、連設集合体２２により形成される供給通路と排出通路の右側端部は、それぞれエンドブロック３１により閉塞されることになる。
【００２６】
連設集合体２２の他端部には、図１に示すように、第２のエンドブロック４１が装着されるようになっている。第２のエンドブロック４１は、第１のエンドブロック３１と左右が対称形状となっている。図１０に示すように、第２のエンドブロック４１には、左端部側のバルブベース１２の供給孔１３を構成する円筒部が嵌合される嵌合孔４２が設けられており、左端部側のバルブベース１２の排出孔１４，１５を構成する円筒部が嵌合される２つの嵌合孔４３，４４が右側面から突出して設けられている。さらに、エンドブロック４１にはバルブベース１２の配線孔１６に連通する配線孔４５が厚み方向に貫通して形成されている。それぞれの嵌合孔４２〜４４にはそれぞれを閉塞する閉塞壁４２ａ〜４４ａが設けられており、エンドブロック４１を左端部側のバルブベース１２に装着すると、連設集合体２２により形成される供給通路と排出通路の左側端部は、それぞれエンドブロック４１により閉塞されることになる。
【００２７】
それぞれのエンドブロック３１，４１の底面にはレール溝３０ａが形成されており、それぞれのエンドブロック３１，４１は、図１に示されるように、支持レール３０に図示しない締結部材を介して締結されるねじ部材３６，４６によって支持レール３０に固定されるようになっている。それぞれ円筒部が嵌合孔に嵌合されることにより組み立てられた状態となった連設集合体２２は、その両端部に配置されて支持レール３０に固定されるエンドブロック３１，４１によって支持レール３０に固定されることになる。
【００２８】
図示された電磁弁マニホールド１０においては、出力ポート１８，１９が装着された側を正面とし、支持レール３０が装着される側を底面としている。連設集合体２２の左右両端部に装着される２つのエンドブロック３１，４１には、配線ブロック５１とエンドカバー５２のいずれか一方が選択的に装着される。図１（Ａ）には左側の第２のエンドブロック４１に配線ブロック５１が装着され、右側の第１のエンドブロック３１にエンドカバー５２が装着された状態の電磁弁マニホールド１０が示されている。これに対し、図１（Ｂ）には右側のエンドブロック３１に配線ブロック５１が装着され、左側のエンドブロック４１にエンドカバー５２が装着された状態の電磁弁マニホールド１０が示されている。
【００２９】
配線ブロック５１には、図２および図４に示されるように、コネクタ５３が設けられている。コネクタ５３にはその内側に端子プラグ５４が接続されるようになっており、端子プラグ５４にはそれぞれのソレノイドに接続された配線５５が束となって取り付けられている。例えば、電磁弁マニホールドがそれぞれ２つのソレノイドを有する８つの弁組立体１１を有している場合には、１６本の駆動信号線しコモン線が端子プラグ５４に取り付けられることになる。
【００３０】
それぞれのソレノイドに対して外部から駆動信号を送るため、外部の送信側のコントローラに電気的に接続された信号線の端子を有する図示しないプラグがコネクタ５３に接続されるようになっている。図１に示す配線ブロック５１はパラレル型となっており、コネクタ５３にはそれぞれのソレノイドに電気的に接続されるコネクタピン５６が設けられている。パラレル型の配線ブロック５１に対しては、外部のコントローラからはそれぞれのソレノイドに対応させて駆動信号が別々の図示しない配線を介して送られることになり、外部のコントローラに接続されたそれぞれの配線はコネクタピン５６および端子プラグ５４を介して配線５５に電気的に接続される。
【００３１】
それぞれのエンドブロック３１，４１には、図２および図３に示されるように、正面側部と背面側部とにそれぞれ挿入孔６０と係合孔６１とが形成されている。図５および図６（Ａ）に示されるように、配線ブロック５１の内面にはそれぞれの係合孔６１に係合される爪部６２が設けられている。配線ブロック５１にはそれぞれの挿入孔６０に対応させて複数の貫通孔６３が形成されており、それぞれの貫通孔６３を貫通させて配線ブロック５１に装着されるねじ部材としてのタッピングねじ６４が挿入孔６０に取り付けられるようになっている。したがって、配線ブロック５１をエンドブロック３１，４１に取り付ける際には、爪部６２を係合孔６１に係合させた状態のもとで、タッピングねじ６４を貫通孔６３を介して挿入孔６０にねじ固定することになる。
【００３２】
エンドカバー５２には、図５および図６（Ｂ）に示されるように、エンドブロック３１，４１の挿入孔６０に挿入される突起６５が設けられるとともに、係合孔６１に係合される爪部６６が内面から突出して設けられている。これにより、挿入孔６０に突起６５を挿入するとともに爪部６６を係合孔６１に係合させることによりエンドカバー５２はエンドブロック３１，４１の外面に着脱自在に装着される。このエンドカバー５２をエンドブロック３１，４１の外面に装着すると、エンドカバー５２によりエンドブロック３１，４１の外面が覆われて、配線孔３５，４５はエンドカバー５２により覆われることになる。なお、エンドカバー５２のエンドブロック３１，４１への取付を配線ブロック５１と同様に挿入孔６０に挿入されてねじ止められるタッピングねじにより行うようにしても良く、その場合には突起６５に対応する部分には貫通孔が形成されることになる。
【００３３】
配線ブロック５１の底面にはレール溝は設けられておらず、配線ブロック５１をエンドブロック３１，４１に取り付けると、配線ブロック５１の底面は支持レール３０に接触せずに離れた状態となる。それぞれのエンドブロック３１，４１には配線孔３５，４５が貫通して形成されており、一方のエンドブロック４１に配線ブロック５１を装着し、他方のエンドブロック３１にエンドカバー５２を装着すると、電磁弁マニホールド１０は、図１（Ａ）に示すように、連設集合体２２の左側端部にエンドブロック４１を介して配線ブロック５１が装着された形態となる。これに対し、配線ブロック５１とエンドカバー５２の位置を逆転させると、図１（Ｂ）に示すように、電磁弁マニホールド１０は、連設集合体２２の右側端部にエンドブロック３１を介して配線ブロック５１が装着された形態となる。
【００３４】
配線ブロック５１とエンドカバー５２の位置を逆転させるときには、端子プラグ５４の位置を連設集合体２２の左右に変更させるために、バルブベース１２と配管ブロック２１に設けられた蓋部材１７，２９が開放される。蓋部材１７，２９を開放すると、端子プラグ５４と配線５５を連設集合体２２の背面側から繰り出すことができ、容易に端子プラグ５４の位置変更を行うことができる。
【００３５】
このように、電磁弁マニホールド１０の設置場所が変更されて、外部からのコネクタ５３への信号線の這い回しの状況から配線ブロック５１の位置を変更する際には、部品交換を行うことなく、配線ブロック５１の位置変更を行うことができる。なお、それぞれのエンドブロック３１，４１にも配線孔を外部に露出させるために蓋部材を設けるようにしても良い。
【００３６】
それぞれのソレノイドに対して送信側のコントローラから信号を送る方式には、コントローラから電磁弁マニホールド１０のそれぞれのソレノイドに対応した信号線により信号を送るパラレル送信方式と、コントローラから共通の信号線によりそれぞれのソレノイドに対応した信号を多重伝送により送るシリアル伝送方式とがある。
【００３７】
図１に示された配線ブロック５１はパラレル信号方式に対応したコネクタ５３を有しており、シリアル伝送方式により信号を送る場合には、他のタイプの配線ブロックが使用される。
【００３８】
図１１および図１２は、シリアル伝送方式による配線ブロック７１が設けられた電磁弁マニホールドを示す。
【００３９】
この配線ブロック７１には、外部のコントローラからそれぞれのソレノイドに対する信号を直列に多重伝送により送る共通の信号線が接続されるコネクタ７２が設けられている。配線ブロック７１の内部には、共通の信号線により送られたシリアル信号をそれぞれのソレノイドに対応させてパラレル信号つまり並列信号に変換する信号変換部が設けられている。パラレルに変換された信号は、端子プラグ５４に接続された配線５５を介してそれぞれのソレノイドに供給される。なお、多重伝送方式としては周波数分割多重伝送方式を用いることも可能であり、いずれも共通の信号線により全てのソレノイドに対して信号を送ることができる。この伝送方式は広義のシリアル型となる。
【００４０】
図１１（Ａ）は配線ブロック７１が連設集合体２２の左端部にエンドブロック４１を介して装着された電磁弁マニホールドを示し、そのときにはエンドブロック３１にはエンドカバー５２が装着される。一方、図１１（Ｂ）は配線ブロック７１が連設集合体２２の右端部にエンドブロック３１を介して装着された電磁弁マニホールド１０を示し、そのときにはエンドブロック４１にはエンドカバー５２が装着される。
【００４１】
配線ブロック７１には図示しない貫通孔が形成されており、配線ブロック７１のエンドブロック３１，４１に対する取付は、図１２に示されるように、上述した配線ブロック５１と同様にねじ部材としてのタッピングねじ６４により行われる。
【００４２】
上述したそれぞれの電磁弁マニホールド１０においては、ソレノイドに接続された複数本の配線５５を収容する配線通路が連設集合体２２の中に形成されており、端子プラグ５４の位置を連設集合体２２の左右何れの端部側にも移動ないし配置換えさせることができる。連設集合体２２の端部にはそれぞれエンドブロック３１，４１が装着されており、配線ブロック５１，７１は、両端のエンドブロック３１，４１の何れにも装着することができ、配線ブロック５１，７１が装着されないエンドブロック３１，４１にはエンドカバー５２が装着される。
【００４３】
これにより、電磁弁マニホールド１０の設置場所が変更されて配線ブロック５１，７１の位置を電磁弁マニホールド１０の一端側から他端側に変更する操作は、配線ブロック５１，７１とエンドカバー５２の位置を逆転させるだけで、部品交換を行うことなく、容易に行うことができる。
【００４４】
本発明は前記実施の形態に限定されるものではなく、その要旨を逸脱しない範囲で種々変更可能である。例えば、図示する電磁弁マニホールド１０は８つのバルブベース１２を連ならせて集合させているが、８つのバルブベース１２を例えば複数ずつの２組のバルブベース１２に分割し、２組みのバルブベース群の間に配管ブロック２１を装着するようにしても良い。
【符号の説明】
【００４５】
１０      電磁弁マニホールド
１１      弁組立体
１２      バルブベース
１３      供給孔
１４，１５      排出孔
１６      配線孔
１７      蓋部材
１８，１９      出力ポート
２０ａ    主弁ブロック
２０ｂ    ソレノイド
２１      配管ブロック
２２      連設集合体
２３      供給孔
２４，２５      排出孔
２６      供給ポート
２７      排出ポート
２８      配線孔
２９      蓋部材
３０      支持レール
３１      エンドブロック（第１のエンドブロック）
３２〜３４      円筒部
３５      配線孔
４１      エンドブロック（第２のエンドブロック）
４２〜４４      円筒部
４５      配線孔
５１      配線ブロック
５２      エンドカバー
５３      コネクタ
５４      端子プラグ
５５      配線
５６      コネクタピン
７１      配線ブロック
７２      コネクタ
【図１】
2010174964.tif 000003
【図２】
2010174964.tif 000004
【図３】
2010174964.tif 000005
【図４】
2010174964.tif 000006
【図５】
2010174964.tif 000007
【図６】
2010174964.tif 000008
【図７】
2010174964.tif 000009
【図８】
2010174964.tif 000010
【図９】
2010174964.tif 000011
【図１０】
2010174964.tif 000012
【図１１】
2010174964.tif 000013
【図１２】
2010174964.tif 000014